(57)【要約】【課題】油温検出装置の落下を防止し、油温検出装置を常に温度測定点に安定して位置させることができるようにした油入電気機器を提供する。【解決手段】油入電気機器１のタンク２内に充填された絶縁油の油温とほぼ同等である放熱器３の外表面を被温度測定部とし、この被温度測定部の最高温度位置である前記放熱器３の上端部に油温検出装置取付け金具１４を用いて一端に被温度測定部に接触する感温部６を有する温度センサ７と、該温度センサ７の他端が接続されて被温度測定部の温度を表示する温度表示部８と、被温度測定部に磁着する永久磁石９とを備えた油温検出装置４が懸装され、被温度測定部である前記放熱器３の外表面に油温検出装置４の感温部６が当接した状態で永久磁石９により磁着させるようにした。【選択図】図１
2011216569.tif 000002
【特許請求の範囲】
【請求項１】
上方にカバーが取付けられ、内部に電気機器本体を収納して絶縁油が充填されたタンク
と、該タンクの側壁から外方に突設されて前記絶縁油が自由に出入りできるように形成さ
れている磁性体からなる放熱器と、前記絶縁油の油温を検出する油温検出装置とを備えた油入電気機器において、
前記油温検出装置は、
装置ケースと、
前記放熱器の外表面の一部を被温度測定部とし、該被温度測定部に接触するように前記装置ケース内に配置されて、前記被温度測定部の温度に対応する温度情報を伝達する接触式の温度センサと、
前記温度センサから伝達される温度情報に基づいて、前記被温度測定部の温度を表示させる温度表示部と、
前記装置ケースに固定されており、且つ前記温度センサが前記被温度測定部に接触するように前記放熱器の外表面に磁着する永久磁石とを備えており、
上端側の先端部が下方に折り曲げられて垂下する板状の係止部が設けられていて、所定位置に取付け孔を有する油温検出装置取付け金具の前記取付け孔に嵌着させられ、
前記油温検出装置取付け金具の前記係止部を前記被温度測定部である前記放熱器の上端に係合させて懸装させたこと
を特徴とする油入電気機器。
【請求項２】
前記取付け孔は、前記油温検出装置取付け金具の高さ方向に所定間隔で複数個設けられており、この取付け孔に夫々油温検出装置が嵌着させられていること
を特徴とする請求項１に記載の油入電気機器。
【請求項３】
前記油温検出装置取付け金具の前記係止部は、内側に傾斜されていること
を特徴とする請求項１または２に記載の油入電気機器。
【請求項４】
前記被温度測定部である前記放熱器の外表面と前記油温検出装置取付け金具の内壁面との間には、ゴム等の弾性材が介在されていること
を特徴とする請求項１，２または３に記載の油入電気機器。
【発明の詳細な説明】
【技術分野】
【０００１】
本発明は、油入電気機器における絶縁油の油温を監視する油温検出装置の取付け構造に関するものである。
【背景技術】
【０００２】
油入電気機器のタンク内部に充填された絶縁油の温度は、電気機器本体内の状態を知る上で重要である。このため、油温を監視するためにタンク側面あるいはカバー上面に油温検出装置が取り付けられている。
【０００３】
油温検出装置としては、温度監視を行なう装置として最も一般的なダイヤル温度計がよく用いられており、絶縁油中に位置させられる温度センサと、一端が前記温度センサに接続されて絶縁油の温度の情報を伝達する導管と、該導管の他端に接続されて絶縁油の温度を表示する温度表示部とにより構成されている。前記油温検出装置は、タンク側面あるいはカバーに設けられている取付け孔に前記導管の一端に接続されている温度センサを挿通させてタンク内の絶縁油中に位置させ、ガスケットを介して取付け金具により気密に固定されているが、油温検出装置を取り付けるには、タンク側面あるいはカバーに油温検出装置取付け孔をあける孔あけ加工や、該取付け孔部に油温検出装置取付け座やスタッドボルト等を溶着するという作業が必要であった。
【０００４】
そこで、特許文献２に示されているように、油入電気機器のタンク側板面を被温度測定部とし、この被温度測定部に磁着させる永久磁石と熱電対からなる温度センサ部と、この温度センサの出力により温度のデジタル表示と過温度時のランプ表示を行なう表示部を有するとともに、太陽電池を制御用電源とする制御部を内装する表示器本体を油入電気機器周辺部に取付け、前記温度センサ部と前記表示器本体をフレキシブル導管で接続し構成した油温検出装置が提案されている。
【先行技術文献】
【特許文献】
【０００５】
【特許文献１】特開平３−２５０６０８号公報
【特許文献２】実開平３−５３８１１号公報
【発明の概要】
【発明が解決しようとする課題】
【０００６】
特許文献２に示された油温検出装置においては、被温度測定部に温度センサ部を単に磁着させているだけであり、油入電気機器運転時の振動あるいは外力等あるいは経年により永久磁石の磁力が衰えた場合に温度センサ部が落下したり、被温度測定部である油入電気機器のタンク側板面の温度測定点からずれるおそれがあり、温度センサ部を常に温度測定点に安定させて位置させることができないという問題があった。
【０００７】
本発明の目的は、油温検出装置の落下を防止し、油温検出装置を常に温度測定点に安定して位置させることができるようにした油入電気機器を提供することにある。
【課題を解決するための手段】
【０００８】
第１の発明は、油温検出装置が、装置ケースと、放熱器の外表面の一部を被温度測定部とし、該被温度測定部に接触するように前記装置ケース内に配置されて、前記被温度測定部の温度に対応する温度情報を伝達する接触式の温度センサと、前記温度センサから伝達される温度情報に基づいて、前記被温度測定部の温度を表示させる温度表示部と、前記装置ケースに固定されており、且つ前記温度センサが前記被温度測定部に接触するように前記放熱器の外表面に磁着する永久磁石と、を備えており、上端側の先端部が下方に折り曲げられて垂下する板状の係止部が設けられていて、所定位置に取付け孔を有する油温検出装置取付け金具の前記取付け孔に前記油温検出装置が嵌着させられ、前記油温検出装置取付け金具の前記係止部を前記被温度測定部である前記放熱器の上端に係合させて懸装させたことを特徴とするものである。
【０００９】
第２の発明は、前記取付け孔は、前記油温検出装置取付け金具の高さ方向に所定間隔で複数個設けられており、この取付け孔に夫々油温検出装置が嵌着させられていることを特徴とするものである。
【００１０】
第３の発明は、前記油温検出装置取付け金具の前記係止部が、内側に傾斜されていることを特徴とするものである。
【００１１】
第４の発明は、前記被温度測定部である前記放熱器の外表面と前記油温検出装置取付け金具の内壁面との間にゴム等の弾性材が介在されていることを特徴とするものである。
【発明の効果】
【００１２】
上記第１の発明によれば、前記油温検出装置が、装置ケースと、放熱器の外表面の一部を被温度測定部とし、該被温度測定部に接触するように前記装置ケース内に配置されて、前記被温度測定部の温度に対応する温度情報を伝達する接触式の温度センサと、前記温度センサから伝達される温度情報に基づいて、前記被温度測定部の温度を表示させる温度表示部と、前記装置ケースに固定されており、且つ前記温度センサが前記被温度測定部に接触するように前記放熱器の外表面に磁着する永久磁石とを備え、上端側の先端部が下方に折り曲げられて垂下する板状の係止部が設けられていて、所定位置に取付け孔を有する油温検出装置取付け金具の前記取付け孔に嵌着されており、前記油温検出装置取付け金具の前記係止部を前記被温度測定部である前記放熱器の上端に係合させて懸装させるようにしたので、電気機器運転時の振動あるいは外力等による油温検出装置の落下を防止することができる。
【００１３】
上記第２の発明によれば、上記の効果に加えて、前記取付け孔が、前記油温検出装置取付け金具の高さ方向に所定間隔で複数個設けられており、この取付け孔に夫々油温検出装置が嵌着させられているため、前記放熱器の外表面における最高温度位置である上端部から最低温度位置である下端部に至るまでの前記被温度測定部における測定点を増やすことができ、前記被温度測定部である前記放熱器の外表面の上下方向の温度分布や平均温度を容易に把握することができる。
【００１４】
上記第３の発明によれば、上記の効果に加えて、前期油温検出装置取付け金具の前記係止部が内側に傾斜されているため、油温検出装置取付け金具を放熱器の上端に係合させる際に、係止部を外側に拡げた状態で係合させることにより、拡げられた係止部が発生する反発力により係止部を付勢して被温度測定部である放熱器に強く係合させることができ、経年により永久磁石の磁力が衰えた場合でも、油温検出装置を常に前記被温度測定部である前記放熱器の外表面の温度測定点に安定して位置させることができる。
【００１５】
上記第４の発明によれば、上記の効果に加えて、前記被温度測定部である前記放熱器の
外表面と前記油温検出装置取付け金具の内壁面との間にゴム等の弾性材が介在させるよう
にしたので、放熱器の外表面と弾性材との摩擦力により油温検出装置取付け金具の横ずれ
を防止することができ、油温検出装置を常に前記被温度測定部である前記放熱器の外表面
の温度測定点により安定して位置させることができる。
【図面の簡単な説明】
【００１６】
【図１】（Ａ）は本発明の第１の実施形態における油温検出装置取付け金具を用いて放熱器に油温検出装置を取付けた状態の要部を示した正面図、（Ｂ）は同図（Ａ）を右から見て示した側面図、（Ｃ）は同図（Ａ）を左から見て示した側面図である。
【図２】（Ａ）は本発明の第２の実施形態における油温検出装置取付け金具を用いて放熱器に複数個の油温検出装置を取付けた状態の要部を示した正面図、（Ｂ）は同図（Ａ）を右から見て示した側面図、（Ｃ）は同図（Ａ）を左から見て示した側面図である。
【発明を実施するための形態】
【００１７】
［実施の形態１］
図１および図２を参照して本発明の好ましい実施形態を詳細に説明する。本実施形態の油入電気機器１は、上方にカバー（図示せず）を有し、内部に絶縁油（図示せず）が充填されるタンク２と、このタンク２内に格納される電気機器本体（図示せず）と、タンク２の側壁から外方に突設され、絶縁油が自由に出入りできるように形成されている磁性体からなる放熱器３と、この放熱器３の外表面に当接させて取り付けられて絶縁油の温度を監視する油温検出装置４とを備えている。
【００１８】
油温検出装置４は、装置ケース５内の中央部に固設され一端に被温度測定部に接触して温度情報を伝達する感温部６を有する温度センサ７と、この温度センサ７の他端が接続されて被温度測定部の温度を表示する温度表示部８と、前記温度センサ７の周囲の周方向に間欠的に配設されて接着剤で固着された複数個の永久磁石９と、装置ケース５の底部に嵌合された円形状の蓋板１０とにより構成されている。
【００１９】
蓋板１０には、温度センサ７及び永久磁石９の一端部が挿通される挿通孔１１Ｓ及び挿
通孔１２Ｊが温度センサ７及び永久磁石９に対応した位置に設けられていて、温度センサ７及び永久磁石９の一端部が蓋板１０から若干外方に突出させられるともに、突出させられた温度センサ７及び永久磁石９の端面が同一面となるようにして固設されている。
【００２０】
図１（Ａ），（Ｂ），（Ｃ）は、本発明の第１の実施形態を示している。本実施形態に
おいては、油入電気機器１のタンク２内に充填された絶縁油の油温とほぼ同等である放熱
器３の外表面を被温度測定部とし、この被温度測定部の最高温度位置である前記放熱器３
の上端部に油温検出装置取付け金具１４を用いて油温検出装置４が懸装され、被温度測定
部である前記放熱器３の外表面に油温検出装置４の感温部６が当接させられた状態で永久
磁石９により磁着されている。電気機器本体を冷却して油入電気機器１のタンク２内に充
填された絶縁油の温度が上昇すると温度センサ7の感温部６が被温度測定部である放熱器
３の外表面の温度を検知し、温度センサ7の他端が接続されている温度表示部８へ温度情
報を伝達し、温度表示部８の指針１３の先端が目盛を指示して絶縁油の油温とほぼ同等で
ある放熱器３の外表面の温度を表示させる。
【００２１】
油温検出装置取付け金具１４は、その上端側の先端部が下方に向かって直角に折り曲げ
られて垂下する板状の係止部１５を有しており、所定位置に設けられている取付け孔１６
には油温検出装置４が嵌着されている。また、油温検出装置取付け金具１４の内壁面１７
と放熱器３の外表面との間にはゴム等の弾性材１８が介在されている。この弾性材１８は
油温検出装置取付け金具１４の内壁面１７の上端部に接着剤により貼設されている。
【００２２】
油温検出装置４が嵌着されている油温検出装置取付け金具１４は、係止部１５を被温度
測定部である放熱器３の上端に係合させることにより、油温検出装置４の感温部６が被温
度測定部である放熱器３の外表面に当接させられた状態で永久磁石９により磁着されて放
熱器３に懸装される。
【００２３】
上記第１の実施形態では、油温検出装置取付け金具１４に油温検出装置４を１個のみ嵌
着させるようにしたが、図４（Ａ），（Ｂ），（Ｃ）に示すように油温検出装置取付け金
具１４の高さ方向に複数個の取付け孔１６を並べて設けておき、この取付け孔１６にそれ
ぞれ油温検出装置４を嵌着させるようにしてもよい。
【００２４】
なお、油温検出装置取付け金具１４の上端側の係止部１５は予め油温検出装置取付け金
具１４の内壁面１７側（内側）に傾斜させるようにしてもよい。
【符号の説明】
【００２５】
１  油入電気機器
２  タンク
３  放熱器
４  油温検出装置
５  装置ケース
６  感温部
７  センサ
８  温度表示部
９  永久磁石
１０  蓋板
１１  挿通孔Ｓ
１２  挿通孔Ｊ
１３  指針
１４  油温検出装置取付け金具
１５  係止部
１６  取付け孔
１７  内壁面
１８  弾性材
【図１】
2011216569.tif 000003
【図２】
2011216569.tif 000004